(57)【特許請求の範囲】
【請求項１】
支持体から個人認証媒体の基材上へと転写されて、個人情報を含んだ画像を表示する画像表示体であって、
前記支持体によって剥離可能に支持され、光透過性を有している下地層と、
ホログラム及び／又は回折格子を含み、サーマルヘッドを用いた熱転写によって前記下
地層上に転写された第１画像表示層を具備し、
前記第１画像表示層は前記個人情報の少なくとも一部及び微小隠蔽画像を含んだ第１画像を表示し、
前記下地層と向き合い、光の吸収を利用して第２画像を表示する第２画像表示層とを具備し、
前記第１画像表示層は複数のドット状部を含み、前記複数のドット状部の各中心は仮想的な平面格子の格子点上に位置し、前記平面格子の格子点の間隔は前記サーマルヘッドで熱転写する基本単位であるドット状部の中心間距離と等しく、
前記微小隠蔽画像は、前記サーマルヘッドで熱転写する基本単位であるドット状部の径に包含され、
前記微小隠蔽画像は、前記平面格子の格子点の間隔とほぼ等しく、または整数倍の間隔で配列されていることを特徴とする画像表示体。
【請求項２】
前記第１画像は、個人情報を含んだ画像を複数表示可能であり、
特定の照明条件のもとで第１方向から観察した場合に第１サブ画像を回折像として表示し、
前記照明条件のもとで前記第１方向とは異なる第２方向から観察した場合に前記第１サブ画像を回折像として表示しないか又は前記第１サブ画像を前記第１方向から観察した場合と比較してより暗い回折像として表示するレリーフ型の第１サブ回折構造と、
前記照明条件のもとで前記第２方向から観察した場合に前記第１サブ画像とは異なる第２サブ画像を回折像として表示し、
前記照明条件のもとで前記第１方向から観察した場合に前記第２サブ画像を回折像として表示しないか又は前記第２サブ画像を前記第２方向から観察した場合と比較してより暗い回折像として表示するレリーフ型の第２サブ回折構造と
を具備し、
前記第１サブ画像もしくは前記第２サブ画像のどちらか一方が、微小画像を含んでいる請求項１に記載の画像表示体。
【請求項３】
前記微小隠蔽画像の一辺の長さは、１μｍ以上３００μｍ以下であることを特徴とする請求項１乃至２の何れか１項に記載の画像表示体。
【請求項４】
前記微小隠蔽画像は、文字又は記号又は数字又はそれらの組み合わせからなる肉眼で視認不可能なマイクロ文字であることを特徴とする請求項１乃至３の何れか１項に記載の画像表示体。
【請求項５】
前記個人情報は顔画像を含んでいることを特徴とする請求項１乃至４の何れか１項に記載の画像表示体。
【請求項６】
前記第２画像は前記個人情報の他の一部を含んだ請求項１乃至５のいずれか１項に記載の画像表示体。
【請求項７】
前記第１画像は、前記個人情報の一部である第１個人情報を含み、前記第２画像は前記個人情報の一部である第２個人情報を含み、前記第１及び第２個人情報は同一人物の顔画像であることを特徴とする請求項１乃至６の何れか１項に記載の画像表示体。
【請求項８】
前記第１画像表示層を間に挟んで、前記下地層と向き合った接着層を更に具備した請求項１乃至７の何れか１項に記載の画像表示体。
【請求項９】
請求項１乃至８の何れか１項に記載の画像表示体と、前記支持体から前記画像表示体が転写された前記基材とを具備した個人認証媒体。
【請求項１０】
請求項１乃至９のいずれか１項に記載された個人情報を含んだ画像を表示する画像表示体の製造に使用するブランク媒体であって、
前記ブランク媒体は、支持体と、支持体によって剥離可能に支持された転写材層２２０とを含んでおり、
前記転写材層は、少なくとも回折構造形成層を備えており、
前記回折構造形成層は、互いに交差する第１及び第２方向に複数配列された微小隠蔽画像を有することを特徴とするブランク媒体。
【発明の詳細な説明】
【技術分野】
【０００１】
本発明は、例えば個人認証に利用可能な画像表示技術に関する。
【背景技術】
【０００２】
パスポート及びＩＤ（identification）カードなどの個人認証媒体の多くは、目視による個人認証を可能とするために、顔画像を使用している。
【０００３】
例えば、パスポートでは、従来、顔画像を焼き付けた印画紙を冊子体に貼り付けていた。しかしながら、そのようなパスポートには、写真印画の貼り替えによる改竄のおそれがある。
【０００４】
このような理由で、近年では、顔画像の情報をデジタル化し、これを冊子体上に再現する傾向にある。この画像再現方法としては、例えば、転写リボンを用いた感熱転写記録法が検討されている。
【０００５】
しかしながら、昨今、昇華性染料又は着色した熱可塑性樹脂を使用する感熱転写記録方式のプリンタは広く普及している。この状況を考慮すると、パスポートから顔画像を取り除き、そこに別の顔画像を記録することは、必ずしも困難ではない。
【０００６】
特許文献１には、上述した方法で顔画像を記録し、その上に蛍光インキを用いて顔画像を記録することが記載されている。また、特許文献２には、無色又は淡色の蛍光染料と有色の顔料とを含有したインキを用いて顔画像を記録することが記載されている。更に、特許文献３には、通常の顔画像と、パール顔料を用いて形成した顔画像とを並べて配置することが記載されている。
【０００７】
これら技術をパスポートに適用すると、その改竄がより困難になる。しかしながら、蛍光材料を用いて記録した顔画像は、紫外線ランプなどの特殊な光源を使用しない限り観察することはできない。また、パール顔料を用いて形成した顔画像は、肉眼で視認することはできるものの、パール顔料は粒径が大きいため、これを用いて高精細な画像を形成することは困難である。
【０００８】
また、個人認証媒体に記録された顔画像の見え方が、単純で視覚効果がない見え方である場合、顔画像が複雑で特徴のある視覚効果である場合と比較して、その改竄が容易である。また、顔画像を単純な見え方で表示した場合、改竄、偽造された顔画像を目視で容易に判断することは困難である。
【先行技術文献】
【特許文献】
【０００９】
【特許文献１】特開２０００−１４１８６３号公報
【特許文献２】特開２００２−２２６７４０号公報
【特許文献３】特開２００３−１７０６８５号公報
【発明の概要】
【発明が解決しようとする課題】
【００１０】
本発明の目的は、改竄が困難で、且つより複雑で特徴のある視覚効果を示し、真贋の判断を容易に行うことが可能である個別情報記録技術を提供することにある。
【課題を解決するための手段】
【００１１】
第１の発明は、
支持体から個人認証媒体の基材上へと転写されて、個人情報を含んだ画像を表示する画像表示体であって、
前記支持体によって剥離可能に支持され、光透過性を有している下地層と、
ホログラム及び／又は回折格子を含み、サーマルヘッドを用いた熱転写によって前記下
地層上に転写された第１画像表示層を具備し、
前記第１画像表示層は前記個人情報の少なくとも一部及び微小隠蔽画像を含んだ第１画像を表示し、
前記下地層と向き合い、光の吸収を利用して第２画像を表示する第２画像表示層とを具備し、
前記第１画像表示層は複数のドット状部を含み、前記複数のドット状部の各中心は仮想的な平面格子の格子点上に位置し、前記平面格子の格子点の間隔は前記サーマルヘッドで熱転写する基本単位であるドット状部の中心間距離と等しく、
前記微小隠蔽画像は、前記サーマルヘッドで熱転写する基本単位であるドット状部の径に包含され、
前記微小隠蔽画像は、前記平面格子の格子点の間隔とほぼ等しく、または整数倍の間隔で配列されていることを特徴とする画像表示体
である。
また、第２の発明は、
前記第１画像は、個人情報を含んだ画像を複数表示可能であり、
特定の照明条件のもとで第１方向から観察した場合に第１サブ画像を回折像として表示し、
前記照明条件のもとで前記第１方向とは異なる第２方向から観察した場合に前記第１サブ画像を回折像として表示しないか又は前記第１サブ画像を前記第１方向から観察した場合と比較してより暗い回折像として表示するレリーフ型の第１サブ回折構造と、
前記照明条件のもとで前記第２方向から観察した場合に前記第１サブ画像とは異なる第２サブ画像を回折像として表示し、
前記照明条件のもとで前記第１方向から観察した場合に前記第２サブ画像を回折像として表示しないか又は前記第２サブ画像を前記第２方向から観察した場合と比較してより暗い回折像として表示するレリーフ型の第２サブ回折構造と
を具備し、
前記第１サブ画像もしくは前記第２サブ画像のどちらか一方が、微小画像を含んでいる請求項１に記載の画像表示体
である。
また、第３の発明は、
前記微小隠蔽画像の一辺の長さは、１μｍ以上３００μｍ以下であることを特徴とする請求項１乃至２の何れか１項に記載の画像表示体
である。
また、第４の発明は、
前記微小隠蔽画像は、文字又は記号又は数字又はそれらの組み合わせからなる肉眼で視認不可能なマイクロ文字であることを特徴とする請求項１乃至３の何れか１項に記載の画像表示体
である。
また、第５の発明は、
前記個人情報は顔画像を含んでいることを特徴とする請求項１乃至４の何れか１項に記載の画像表示体
である。
また、第６の発明は、
前記第２画像は前記個人情報の他の一部を含んだ請求項１乃至５のいずれか１項に記載の画像表示体
また、第７の発明は、
前記第１画像は、前記個人情報の一部である第１個人情報を含み、前記第２画像は前記個人情報の一部である第２個人情報を含み、前記第１及び第２個人情報は同一人物の顔画像であることを特徴とする請求項１乃至６の何れか１項に記載の画像表示体
である。
また、第８の発明は、
前記第１画像表示層を間に挟んで、前記下地層と向き合った接着層を更に具備した請求項１乃至７の何れか１項に記載の画像表示体
である。
また、第９の発明は、
請求項１乃至８の何れか１項に記載の画像表示体と、前記支持体から前記画像表示体が転写された前記基材とを具備した個人認証媒体
である。
また、第１０の発明は、
請求項１乃至９のいずれか１項に記載された個人情報を含んだ画像を表示する画像表示体の製造に使用するブランク媒体であって、
前記ブランク媒体は、支持体と、支持体によって剥離可能に支持された転写材層２２０とを含んでおり、
前記転写材層は、少なくとも回折構造形成層を備えており、
前記回折構造形成層は、互いに交差する第１及び第２方向に複数配列された微小隠蔽画像を有することを特徴とするブランク媒体
である。
【発明の効果】
【００１２】
本発明によると、改竄が困難で、且つ優れた画質で特徴のある視覚効果の画像を表示し、真贋の判断を容易に行うことが可能な個人認証媒体が提供される。
第１の発明によると、支持体から個人認証媒体の基材上へと転写されるものであって、この支持体によって剥離可能に支持され、光透過性を有している下地層と、ホログラム及び／又は回折格子を含み、サーマルヘッドを用いた熱転写によって下地層上に転写された第１画像表示層とを具備している。サーマルヘッドを利用した熱転写によって第１画像表示層を個人認証媒体の基材上に直接形成した場合、基材の表面粗さなどに起因して、高画質を達成することは難しい。これに対し、この画像表示体では、第１画像表示層は、個人認証媒体の基材上にではなく、下地層上に形成されている。そして、個人情報の少なくとも一部を含んだ第１画像表示層は、下地層と共に個人認証媒体の基材上へと転写される。それ故、基材の表面粗さなどが画質に大きな影響を及ぼすことはない。従って、この画像表示体を使用すると、優れた画質の画像を表示する個人認証媒体が得られる。
さらに、下地層と向き合い、光の吸収を利用して第２画像を表示する第２画像表示層を更に具備している。第２画像は、第１画像と比較して視認性に優れている。それ故、第１及び第２画像表示層を併用すると、視認性に優れた画像とを画像表示体に表示させることができる。
また、第１画像表示層は、微小隠蔽画像を含んだ第１画像を表示し、このような微小隠蔽画像を記録するプロセスは精度が必要となり製造が難しい。それ故、この画像表示体は、改竄が困難となる。
さらに、個人情報の一部を、ホログラム及び／又は回折格子を用いて表示する。ホログラム及び／又は回折格子が表示する個人情報の改竄は極めて困難である。そして、この画像表示体は、熱転写によって個人認証媒体の基材に貼り付けられる。このようにして個人認証媒体の基材に貼り付けた画像表示体は、基材から剥離しようとすると、容易に破壊される。それ故、この画像表示体を用いると、改竄が困難な個人認証媒体が得られる。
また、第２の発明によると、第１画像は、特定の照明条件のもとで第１方向から観察した場合に第１サブ画像を回折像として表示し、前記照明条件のもとで第１方向とは異なる第２方向から観察した場合に第１サブ画像を回折像として表示しないか又は第１サブ画像を第１方向から観察した場合と比較してより暗い回折像として表示するレリーフ型の第１サブ回折構造を含んでいる。
また、前記照明条件のもとで第２方向から観察した場合に第１サブ画像とは異なる第２サブ画像を回折像として表示し、前記照明条件のもとで第１方向から観察した場合に第２サブ画像を回折像として表示しないか又は第２サブ画像を第２方向から観察した場合と比較してより暗い回折像として表示するレリーフ型の第２サブ回折構造を含んでいる。
このことにより、特定の照明条件のもとで第１サブ画像は第１方向から観察することができ、第２サブ画像は第２方向から観察することができる。ここで、第１サブ画像もしくは第２サブ画像のどちらか一方が、微小画像を含んでいる。このため、第１画像表示層の微小画像を含んでいないサブ画像を観察すれば、個人情報の顔画像を観察することができ、微小画像を含んでいる方のサブ画像を観察すれば、個人情報の顔画像とともに微小画像を観察することができる。
これにより画像表示体は、複雑な視覚効果を示す画像を高い画質で表示するのに加え、改竄が困難である。
また、第１の発明によると、第１画像表示層は複数のドット状部を含み、複数のドット状部の各中心は仮想的な平面格子の格子点上に位置し、平面格子の格子点の間隔はサーマルヘッドで熱転写する際の基本単位であるドット状部の中心間距離と等しい画像表示体である。この構成は、サーマルヘッドを用いた熱転写によって画像を記録するプロセスに適している。
また、第１の発明によると、微小隠蔽画像は、前記サーマルヘッドで熱転写する基本単位であるドット状部の径に包含される。このことにより前記サーマルヘッドで熱転写する基本単位であるドット状部に微小隠蔽画像の全体が含まれるようになる。
また、第１の発明によると、微小隠蔽画像の配列の間隔は、前記平面格子の格子点の間隔と等しく、または整数倍の間隔で配列している。このため、微小隠蔽画像の配列間隔は、サーマルヘッドで熱転写する基本単位であるドット状部の中心間距離と等しい場合には、全てのドット状部に微小隠蔽画像が含まれ、微小隠蔽画像の配列間隔が、熱転写する基本単位であるドット状部の中心間距離の整数倍の間隔で配列した場合には、全てのドット状部に微小隠蔽画像は含まれず、配列した間隔で含まれる構成となる。
また、第３の発明によると、微小隠蔽画像の一辺の長さは、１μm以上３００μm以下としている。一般的に３００μｍ以下の大きさのマイクロ文字は、肉眼では認識が不可能とされ、印刷物等の使用者がルーペや光学顕微鏡等での拡大観察によって真偽判定を行うことが可能である。また特に１μm以上５０μm程度以下の微小なマイクロ文字は、精度良く製造することが困難であるので、製造技術の面でもより高い偽造防止効果が期待できる。
また、第４の発明によると、微小隠蔽画像は、文字又は記号又は数字又はそれらの組み合わせからなる肉眼で視認不可能なマイクロ文字である。これらのマイクロ文字により共通した情報、例えばパスポートの場合には、国名や発行地などの情報を記録し、また、ＩＤカードの場合には、会社名や所属などの情報を記録しておくことで、もし、この画像表示体が偽造されてもこの微小隠蔽画像を確認することで、真偽判定を行うことができる。
また、第５の発明によると、個人情報は顔画像を含んでいることを特徴としている。顔画像は、生体情報として一般的であり、目視による個人認証に適している。
また、第６の発明によると、改竄が困難で、且つ優れた画質で特徴のある視覚効果の画像を表示し、真贋の判断を容易に行うことが可能な個人認証媒体が提供される。
また、第７の発明によると、第１画像は、個人情報の一部である第１個人情報を含み、第２画像は個人情報の一部である第２個人情報を含み、第１及び第２個人情報は同一人物の顔画像としている。これにより画像表示体は、第１画像のみが個人情報を含んでいる画像表示体と比較して偽造がより困難である。
【００１３】
また、第８の発明によると、画像表示体は、第１画像表示層を間に挟んで、下地層と向き合った接着層を更に設けてある。接着層は、支持体から個人認証媒体の基材上へ画像表示体の転写の際に、画像表示体を基材に強固に密着させる。また、接着層は、ホログラム及び／又は回折格子の複製を困難にする。
また、第９の発明によると、個人認証媒体は、上述の何れか１つに記載の画像表示体を具備している。それ故、この個人認証媒体は、改竄が困難で、且つ優れた画質で特徴のある視覚効果の画像を表示し、真贋の判断を容易に行うことが可能である。
また、第１０の発明によると、本発明のブランク媒体を用いることによって、改竄が困難で、且つ優れた画質で特徴のある視覚効果の画像を表示し、真贋の判断を容易に行うことが可能な個人認証媒体が提供される。
【図面の簡単な説明】
【００１４】
【図１】本発明の一態様に係る個人認証媒体を概略的に示す平面図。
【図２】図１の個人認証媒体に含まれる画像表示体の一部を拡大して示す平面図。
【図３】図２に示す画像表示体のＩＩＩ−ＩＩＩ線に沿った断面図。
【図４】図１の個人認証媒体に含まれる画像表示体の他の一部を拡大して示す平面図。
【図５】図４に示す画像表示体のＶ−Ｖ線に沿った断面図。
【図６】図２乃至図５に示す画像表示体の製造に使用可能なブランク媒体の一例を概略的に示す断面図。
【図７】図２乃至図５に示す画像表示体の製造に使用可能なブランク媒体の微小隠蔽画像の一例を概略的に示す平面図。
【図８】図６に示すブランク媒体を用いて製造可能な転写箔の一例を概略的に示す断面図。
【図９】使用済みのブランク媒体の一例を概略的に示す断面図。
【図１０】図２乃至図５に示す画像表示体が含んでいる回折構造を概略的に示す平面図。
【図１１】図２乃至図５に示す画像表示体が含んでいる他の回折構造を概略的に示す平面図。
【図１２】図１の個人認証媒体に含まれる画像表示体の回折格子配列の一例を概略的に示す平面図。
【図１３】図１の個人認証媒体に含まれる画像表示体の回折格子配列の他の一例を概略的に示す平面図。
【図１４】図１３に示す画像表示体の回折格子配列を用いた画像表示の一例を概略的に示す平面図。
【図１５】図１４に示す画像表示体の表示画像の一例を概略的に示す平面図。
【図１６】図１４に示す画像表示体の他の表示画像の一例を概略的に示す平面図。
【図１７】図１０乃至図１３に示す画像表示体の表示画像の一例を概略的に示す平面図。
【発明を実施するための形態】
【００１５】
以下、本発明の態様について、図面を参照しながら詳細に説明する。なお、同様又は類似した機能を発揮する構成要素には全ての図面を通じて同一の参照符号を付し、重複する説明は省略する。
【００１６】
図１は、本発明の一態様に係る個人認証媒体を概略的に示す平面図である。
図１に示す個人認証媒体１００は、パスポートなどの冊子体である。図１には、開いた状態の冊子体を描いている。
【００１７】
この個人認証媒体１００は、折り丁１と表紙２とを含んでいる。
折り丁１は、１枚以上の紙片１１からなる。典型的には、紙片１１上には、文字列及び地紋などの印刷パターン１２が設けられている。折り丁１は、１枚の紙片１１を又は複数枚の紙片１１の束を二つ折りにすることによって形成されている。紙片１１は、個人情報が記録されるＩＣ（ｉｎｔｅｇｒａｔｅｄ  ｃｉｒｃｕｉｔ）チップや、このＩＣチップとの非接触での通信を可能とするアンテナなどを内蔵していてもよい。
【００１８】
表紙２は、二つ折りされている。表紙２と折り丁１とは、冊子体を閉じた状態で折り丁１が表紙２によって挟まれるように重ね合わされており、それらの折り目の位置で綴じ合わせなどによって一体化されている。
【００１９】
表紙２は、個人情報を含んだ画像を表示する。この個人情報は、個人の認証に利用する個人認証情報を含んでいる。この個人情報は、例えば、生体情報と非生体個人情報とに分類することができる。
【００２０】
生体情報は、生体の特徴のうち、その個体に特有なものである。典型的には、生体情報は、光学的手法によって識別可能な特徴である。例えば、生体情報は、顔、指紋、静脈及び虹彩の少なくとも１つの画像又はパターンである。
【００２１】
非生体個人情報は、生体情報以外の個人情報である。例えば、非生体個人情報は、氏名、生年月日、年齢、血液型、性別、国籍、住所、本籍地、電話番号、所属及び身分の少なくとも１つである。非生体個人情報は、タイプ打ちによって入力された文字を含んでいてもよく、署名などの手書きを機械読み取りすることによって入力された文字を含んでいてもよく、それらの双方を含んでいてもよい。
【００２２】
図１において、表紙２は、画像Ｉ１ａ、Ｉ１ｂ、Ｉ２及びＩ３を表示している。
画像Ｉ１ａ、Ｉ２及びＩ３は、光の吸収を利用して表示される画像である。具体的には、画像Ｉ１ａ、Ｉ２及びＩ３は、白色光で照明し、肉眼で観察した場合に視認可能な画像である。画像Ｉ１ａ、Ｉ２及びＩ３の１つ以上を省略してもよい。
【００２３】
画像Ｉ１ａ、Ｉ２及びＩ３は、例えば、染料及び顔料で構成することができる。この場合、画像Ｉ１ａ、Ｉ２及びＩ３の形成には、サーマルヘッドを用いた熱転写記録法、インクジェット記録法、電子写真法、又はそれらの２つ以上の組み合わせを利用することができる。或いは、画像Ｉ１ａ、Ｉ２及びＩ３は、感熱発色剤を含んだ層を形成し、この層にレーザビームで描画することにより形成することができる。或いは、これら方法の組み合わせを利用することができる。画像Ｉ２及びＩ３の少なくとも一部は、ホットスタンプを用いた熱転写記録法によって形成してもよく、印刷法によって形成してもよく、それらの組み合わせを利用して形成してもよい。
【００２４】
画像Ｉ１ｂは、ホログラム及び／又は回折格子が表示する画像である。画像Ｉ１ｂは、後で詳述するように、例えば、サーマルヘッドを用いた熱転写記録と、ホットスタンプ又は熱ロールを用いた熱転写記録とをこの順に行うことにより形成する。
【００２５】
画像Ｉ１ａ及びＩ１ｂは、同一人物の顔画像を含んでいる。画像Ｉ１ａが含んでいる顔画像と、画像Ｉ１ｂが含んでいる顔画像とは、同一であってもよく、異なっていてもよい。画像Ｉ１ａが含んでいる顔画像と、画像Ｉ１ｂが含んでいる顔画像とは、寸法が等しくてもよく、異なっていてもよい。また、画像Ｉ１ａ及びＩ１ｂの各々は、顔画像の代わりに他の生体情報を含んでいてもよく、顔画像に加えて顔画像以外の生体情報を更に含んでいてもよい。
【００２６】
画像Ｉ１ｂは、生体情報の代わりに非生体個人情報を含んでいてもよく、生体情報に加えて非生体個人情報を更に含んでいてもよい。また、画像Ｉ１ｂは、個人情報の代わりに非個人情報を含んでいてもよく、個人情報に加えて非個人情報を更に含んでいてもよい。
【００２７】
画像Ｉ２は、非生体個人情報と非個人情報とを含んでいる。画像Ｉ２は、例えば、文字、記号、符号及び標章の１つ以上を構成している。
【００２８】
画像Ｉ３は、地紋である。例えば、画像Ｉ３と画像Ｉ１ａ及びＩ１ｂの少なくとも一方とを組み合わせると、個人認証媒体１００の改竄をより困難にすることができる。
【００２９】
次に、表紙２の構造について、図２乃至図５を参照しながら説明する。
図２は、図１の個人認証媒体に含まれる画像表示体の一部を拡大して示す平面図である。図３は、図２に示す画像表示体のＩＩＩ−ＩＩＩ線に沿った断面図である。図４は、図１の個人認証媒体に含まれる画像表示体の他の一部を拡大して示す平面図である。図５は、図４に示す画像表示体のＶ−Ｖ線に沿った断面図である。
【００３０】
図２及び図３に示す構造は、表紙２のうち画像Ｉ１ａに対応した部分である。他方、図４及び図５に示す構造は、表紙２のうち画像Ｉ１ｂに対応した部分である。なお、Ｘ方向は画像表示体の表示面に平行な方向であり、Ｙ方向は画像表示体の表示面に平行な方向であり且つＸ方向に対して垂直な方向であり、Ｚ方向はＸ及びＹ方向に対して垂直な方向である。
【００３１】
表紙２は、図３及び図５に示すように、表紙本体２１と画像表示体２２とを含んでいる。
【００３２】
表紙本体２１は、個人認証媒体１００の基材であって、典型的には紙片である。表紙本体２１は、単層構造を有していてもよく、多層構造を有していてもよい。表紙本体２１は、個人認証媒体１００を閉じた状態において、折り丁１を挟み込むように二つ折りされている。
【００３３】
画像表示体２２は、多層構造を有している層である。画像表示体２２は、個人認証媒体１００を閉じた状態において折り丁１と向き合う表紙本体２１の主面に貼り付けられている。
【００３４】
画像表示体２２は、画像表示層２１０及び２２０ａと剥離保護層２２７とを含んでいる。
画像表示層２１０は、光の吸収を利用して画像Ｉ１ａを表示する。画像表示層２１０は、図２及び図３に示すように、画像Ｉ１ａに対応したパターン形状を有している。この画像表示層２１０は、染料及び顔料の少なくとも一方と任意の樹脂とで構成することができる。このような画像表示層２１０は、例えば、サーマルヘッドを用いた熱転写記録法、インクジェット記録法、電子写真法、又はそれらの２つ以上の組み合わせを利用することにより得ることができる。
【００３５】
画像表示層２１０は、パターニングされていなくてもよい。即ち、画像表示層２１０は、連続膜であってもよい。この場合、画像表示層２１０は、例えば、感熱発色剤を含んだ層を形成し、この層にレーザビームで描画することにより得ることができる。
【００３６】
画像表示層２２０ａは、ホログラム及び／又は回折格子を含んでいる。画像表示層２２０ａは、図４及び図５に示すように、画像Ｉ１ｂに対応したパターン形状を有している。画像表示層２２０ａの構造及び形成方法については、後で詳述する。
【００３７】
剥離保護層２２７は、画像表示層２１０及び２２０ａと表紙本体２１とを被覆している。剥離保護層２２７は、光透過性を有しており、典型的には透明である。剥離保護層２２７は、例えば樹脂からなる。
【００３８】
なお、表紙２のうち画像Ｉ２に対応した部分には、例えば、表示させる画像が異なること以外は、画像Ｉ１ａに対応した部分に関して上述したのとほぼ同様の構造を採用することができる。表紙２のうち画像Ｉ１ａに対応した部分と画像Ｉ２に対応した部分とは、同一の積層構造を有していてもよく、異なる積層構造を有していてもよい。
【００３９】
次に、図６乃至図９を参照しながら、個人認証媒体１００の製造方法と画像表示層２２０ａの構造とを説明する。
【００４０】
図６は、図２乃至図５に示す画像表示体の製造に使用可能なブランク媒体の一例を概略的に示す断面図である。図７は、図２乃至図５に示す画像表示体の製造に使用可能なブランク媒体の微小隠蔽画像の一例を概略的に示す平面図である。図８は図６に示すブランク媒体を用いて製造可能な転写箔の一例を概略的に示す断面図である。図９は、使用済みのブランク媒体の一例を概略的に示す断面図である。
【００４１】
図６に示すブランク媒体２０１は、例えば転写リボンである。ブランク媒体２０１は、支持体２２１と、支持体２２１によって剥離可能に支持された転写材層２２０とを含んでいる。
【００４２】
支持体２２１は、例えば樹脂フィルム又はシートである。支持体２２１は、例えば、ポリエチレンテレフタレートなどの耐熱性に優れた材料からなる。支持体２２１の転写材層２２０を支持している主面には、例えばフッ素樹脂又はシリコーン樹脂を含んだ離型層が設けられていてもよい。
【００４３】
転写材層２２０は、剥離層２２２と回折構造形成層２２３と反射層２２４と接着層２２５とを含んでいる。
【００４４】
剥離層２２２は、支持体２２１上に形成されている。剥離層２２２は、転写剤層２２０の支持体２２１からの剥離を安定化すると共に、画像表示層２２０ａの表紙本体２１への接着を促進する役割を果たす。剥離層２２２は、光透過性を有しており、典型的には透明である。剥離層２２２は、例えば熱可塑性樹脂からなる。剥離層２２２は、省略することができる。
【００４５】
回折構造形成層２２３は、剥離層２２２上に形成されている。回折構造形成層２２３は、回折構造として、ホログラム及び回折格子の少なくとも一方を含んでいる。ここでは、回折構造形成層２２３は、表面に回折構造としてレリーフ構造が設けられた透明層である。透明層の材料としては、光硬化性樹脂、熱硬化性樹脂及び熱可塑性樹脂などの樹脂を使用することができる。なお、回折構造形成層２２３は、体積ホログラムであってもよい。
【００４６】
反射層２２４は、回折構造形成層２２３上に形成されている。反射層２２４は省略することができるが、反射層２２４を設けると、回折構造が表示する画像の視認性が向上する。
【００４７】
反射層２２４としては、例えば、透明反射層又は不透明な金属反射層を使用することができる。反射層２２４は、例えば、真空蒸着やスパッタリングなどの真空成膜法によって形成することができる。
【００４８】
透明反射層としては、例えば、回折構造形成層２２３とは屈折率が異なる透明材料からなる層を使用することができる。透明材料からなる透明反射層は、単層構造を有していてもよく、多層構造を有していてもよい。後者の場合、透明反射層は、繰り返し反射干渉を生じるように設計されていてもよい。この透明材料としては、例えば、硫化亜鉛及び二酸化チタンなどの透明誘電体を使用することができる。
【００４９】
或いは、透明反射層として、厚さが２０ｎｍ未満の金属層を使用してもよい。金属層の材料としては、例えば、クロム、ニッケル、アルミニウム、鉄、チタン、銀、金及び銅などの単体金属又はそれらの合金を使用することができる。
【００５０】
不透明な金属反射層としては、より厚いこと以外は透明反射層について上述したのと同様の金属層を使用することができる。
【００５１】
接着層２２５は、反射層２２４上に形成されている。接着層２２５は、例えば熱可塑性樹脂からなる。接着層２２５は、省略することができる。
【００５２】
回折構造形成層２２３には、微小隠蔽画像３００が記録してある。図７に微小隠蔽画像の一例を示した。
微小隠蔽画像は、文字又は記号又は数字又はそれらの組み合わせからなる肉眼で視認不可能なマイクロ文字を用いる。ここでは微小隠蔽画像３００としては文字列「ＴＯＰ」を表現し、文字高さ３０１としてはサーマルヘッドで熱転写する際のドット状部の径より小さくする必要がある。また、配列するピッチ３０２はドット状部の径又はドット状部の最小中心間距離と等しくする必要がある。但し、ドット状部の中に必ず微小隠蔽画像が入る必要がなければ、ピッチ３０２が最小中心間距離と等しくなくてもよい。
【００５３】
一般的に３００μｍ以下の大きさのマイクロ文字は、肉眼では認識が不可能とされ、特に１μm以上５０μm程度以下の微小なマイクロ文字は、精度良く製造することが困難であるので、製造技術の面でもより高い偽造防止効果が期待できる。
【００５４】
微小隠蔽画像は回折構造である必要はなく、回折構造ではなく周囲と異なる構造、たとえば深さが異なるなど、印刷物等の使用者がルーペや光学顕微鏡等での拡大観察によって確認することが可能であればよい。また、回折構造であってもよい。この場合には回折格子の角度を微小隠蔽画像のパターンの部分だけ異なる角度にする等の方法を用いる。
なお、本件では、微小画像の一例として、文字又は記号又は数字又はそれらの組み合わせからなる肉眼で視認不可能なマイクロ文字を挙げているがそれに限定する必要は無く、例えばマークや商標、デザインなどを採用しても良い。
【００５５】
また、微小隠蔽画像３００は、互いに交差する第１及び第２方向に配列されている。微小隠蔽画像３００の各中心は、仮想的な平面格子の格子点上に位置し、前記平面格子の格子点の間隔は前記サーマルヘッドで熱転写する基本単位であるドット状部の中心間距離と等しいと、各ドット状部に隠蔽画像を付与することが可能となるため好ましい。
【００５６】
個人認証媒体１００の製造においては、例えば、まず、撮像装置を用いて、人物の顔を撮影する。或いは、印画から顔画像を読み取る。これにより、画像情報を電子情報として得る。この顔画像は、必要に応じて画像処理する。
【００５７】
次に、図８に示す積層体２０３を準備する。この積層体２０３は、多層構造を有している層であって、支持体２２６と、その上に順次形成された剥離保護層２２７及び樹脂層２２８とを含んでいる。支持体２２６上に形成された多層構造は、下地層を構成している。支持体２２６は、この下地層を剥離可能に支持している。
【００５８】
支持体２２６としては、例えば、支持体２２１について例示したものを使用することができる。
【００５９】
剥離保護層２２７は、剥離保護層２２７と画像表示層２２０ａとからなる転写剤層２２０の支持体２２６からの剥離を安定化すると共に、画像表示層２２０ａを損傷から保護する役割を果たす。剥離保護層２２７としては、例えば、剥離層２２２について例示したものを使用することができる。樹脂層２２８が剥離層の機能を有している場合は、剥離保護層２２７は省略することができる。
【００６０】
樹脂層２２８は、光透過性を有しており、典型的には透明である。樹脂層２２８は、先の下地層に、十分な強度を与える役割を果たす。樹脂層２２８の材料としては、例えば、熱硬化性樹脂、光硬化性樹脂及び熱可塑性樹脂を使用することができる。熱硬化性樹脂を使用すると、この樹脂層２２８を、画像表示体２２を表紙本体２１に接着するための接着層として利用することができる。
【００６１】
樹脂層２２８は、回折構造として、ホログラム及び回折格子の少なくとも一方を含んでいてもよい。例えば、樹脂層２２８の表面には、回折構造としてレリーフ構造が設けられていてもよい。こうすると、この回折構造が表示する画像と画像表示層２２０ａが表示する画像Ｉ１ｂとを重ねること又は並べることができる。
【００６２】
積層体２０３は、パターニングされた金属反射層、例えば不透明な金属反射層を更に含んでいてもよい。例えば、樹脂層２２８上に又は剥離保護層２２７と樹脂層２２８との間にパターニングされた金属反射層を設け、この金属反射層に、網点、万線、他の図形、又はそれらの組み合わせを表示させてもよい。このようなパターンは、例えば、画像表示体２２又は個人認証媒体１００の真偽判定に利用することができる。
【００６３】
次いで、この積層体２０３上に、先の顔画像に対応したパターンを有している画像表示層２２０ａを形成する。具体的には、先の画像情報に基づいて、図６に示す支持体２２１から、転写材層２２０の一部を画像表示層２２０ａとして、図７に示す樹脂層２２８上へと熱転写する。この熱転写は、サーマルヘッドを利用して、転写材層２２０のうち樹脂層２２８上へと熱転写される部分が、先の顔画像に対応したパターンを有するように行う。これにより、支持体２２６と剥離保護層２２７と樹脂層２２８と画像表示層２２０ａとを含んだ転写箔２０２を得る。転写箔２０２は、例えば転写リボンである。
【００６４】
このようにして得られる画像表示層２２０ａは、サーマルヘッドを利用した熱転写によって形成するので、典型的には、図４及び図５に示すように複数のドット状部からなる。これらドット状部の各中心は、図４に破線で示す仮想的な平面格子の格子点上に位置している。
【００６５】
なお、図４において、先の平面格子は正方格子であるが、この平面格子は、三角格子及び矩形格子などの他の格子であってもよい。また、図４では、隣り合ったドット状部は、それらの輪郭が１点で接するように配置されている。即ち、各ドット状部の径は、ドット状部の最小中心間距離と等しい。隣り合ったドット状部は、互いから離間していてもよい。即ち、各ドット状部の径は、ドット状部の最小中心間距離と比較してより小さくてもよい。或いは、隣接したドット状部は、部分的に重なり合っているが如く配置されていてもよい。即ち、各ドット状部の径は、ドット状部の最小中心間距離と比較してより大きくてもよい。
【００６６】
ドット状部の径又はドット状部の最小中心間距離は、例えば０．０８５乃至０．５０８ｍｍ（約３００乃至約５０  ｄｏｔｓ  ｐｅｒ  ｉｎｃｈ）の範囲内とする。画像表示層２２０ａに顔画像を表示させる場合には、ドット状部の径又はドット状部の最小中心間距離は、例えば０．０８５乃至０．１６９ｍｍ（約３００乃至約１５０  ｄｏｔｓ  ｐｅｒ  ｉｎｃｈ）の範囲内とする。この寸法を大きくすると、画像表示層２２０ａに高精細な画像を表示させることが難しくなる。この寸法を小さくすると、画像表示層２２０ａのパターン形状の再現性が低下する。
【００６７】
なお、使用済みのブランク媒体２０１には、図９に示すように、転写材層２２０の一部２２０ｂが、画像表示層２２０ａのネガパターンとして残留している。このネガパターンは、画像表示層２２０ａの照合に利用することができる。
【００６８】
また、ブランク媒体２０１の一部を利用して剥離保護層２２７上に画像表示層２２０ａを形成するのに加え、ブランク媒体２０１の他の部分を利用して、別途用意した基材上に、非生体個人情報や画像表示層２２０ａを形成した日付及び時間など履歴情報を表示するパターンを熱転写してもよい。こうすると、使用済みのブランク媒体２０１を、画像表示層２２０ａの照合に利用できるのに加え、他の情報の照合にも利用することができる。
【００６９】
画像表示層２２０ａを形成する前に、樹脂層２２８上に又は剥離保護層２２７と樹脂層２２８との間に他の層を形成しておいてもよい。例えば、樹脂層２２８上に又は剥離保護層２２７と樹脂層２２８との間に、反射層を形成しておいてもよく、ホログラム及び／又は回折格子を形成しておいてもよく、それらの双方を形成しておいてもよい。
【００７０】
この反射層は、連続膜であってもよく、パターニングされていてもよい。後者の場合、反射層のパターンは、網点、万線、図形、又はそれらの組み合わせであってもよい。また、この反射層は、光透過性を有していてもよく、不透明であってもよい。なお、このホログラム及び／又は回折格子は、典型的には、回折構造形成層２２３が含んでいるホログラム及び／又は回折格子とは、光学特性を異ならしめる。
【００７１】
樹脂層２２８上に又は剥離保護層２２７と樹脂層２２８との間には、図２及び図３に示す画像表示層２１０を更に形成する。樹脂層２２８上に画像表示層２１０を形成する場合、画像表示層２１０は、樹脂層２２８上に画像表示層２２０ａを形成する前に形成してもよく、樹脂層２２８上に画像表示層２２０ａを形成した後に形成してもよい。
【００７２】
熱転写法によって画像表示層２１０を形成する場合、昇華転写方式を採用してもよく、溶融転写方式を採用してもよく、それらの双方を採用してもよい。画像表示層２１０が表示する画像は、モノクロ画像であってもよく、カラー画像であってもよい。後者の場合、画像表示層２１０は、例えば、１つ以上のインクリボンを用いて、例えば、イエロー、マゼンタ、シアン及びブラックの４色の着色層を形成するか、又は、赤、緑及び青の３色の着色層を形成することにより得られる。
【００７３】
樹脂層２２８上に又は剥離保護層２２７と樹脂層２２８との間には、図１に示す画像Ｉ３を表示する層（図示せず）を更に形成してもよい。画像Ｉ３を表示する層を樹脂層２２８上に形成する場合、この層の形成は、樹脂層２２８上に画像表示層２２０ａを形成する前に行ってもよく、樹脂層２２８上に画像表示層２２０ａを形成した後に行ってもよい。或いは、画像Ｉ３を表示する層は、樹脂層２２８上に又は剥離保護層２２７と樹脂層２２８との間に形成する代わりに、表紙本体２１上に形成してもよい。画像Ｉ３を表示する層は、例えば、画像表示層２１０に関して説明したのと同様の方法により形成することができる。
【００７４】
次に、支持体２２６上に形成した転写材層のうち画像表示体２２として使用する部分を、支持体２２６から図３及び図５に示す表紙本体２１上へと熱転写する。この熱転写には、例えばホットスタンプを利用する。なお、ホットスタンプを利用した熱転写の代わりに、熱ロール又はサーマルヘッドを利用した熱転写を行ってもよい。以上のようにして、表紙本体２１に画像表示体２２を貼り付ける。
【００７５】
表紙本体２１上には、上述のように、画像Ｉ３を表示する層を形成しておいてもよい。また、表紙本体２１上には、接着強さを高めるために、接着アンカー層を形成しておいてもよい。
【００７６】
画像表示体２２を表紙本体２１に高い接着強さで接着させることが難しい場合であって、画像表示層２２０ａの形成後に画像表示層２１０を形成するときには、接着リボンの機能を追加したインクリボンを使用してもよい。こうすると、インクリボンとは別に接着リボンを使用する必要がなくなる。
【００７７】
以上のようにして画像表示体２２を表紙本体２１上に熱転写した後、必要な工程を適宜実施する。このようにして、図１乃至図５を参照しながら説明した個人認証媒体１００を得る。
【００７８】
この方法では、サーマルヘッドを利用した熱転写によって画像表示層２２０ａを形成する。サーマルヘッドを利用した場合に達成され得る精細度は、パール顔料を印刷する場合に達成され得る精細度よりも高い。
【００７９】
また、サーマルヘッドを利用した熱転写によって画像表示層２２０ａを表紙本体２１上に直接形成した場合、表紙本体２１の表面粗さなどに起因して、高画質を達成することは難しい。これに対し、上述した方法では、画像表示層２２０ａは、表紙本体２１上に直接形成しない。即ち、この方法では、まず、剥離保護層２２７上に形成し、その後、剥離保護層２２７と共に表紙本体２１上へと転写する。それ故、表紙本体２１の表面粗さなどが画質に大きな影響を及ぼすことはない。
【００８０】
従って、この方法によると、画像表示層２２０ａに、優れた画質の画像を表示させることが可能となる。
【００８１】
また、この画像表示体２２は、個人情報の一部を、ホログラム及び／又は回折格子を用いて表示する。ホログラム及び／又は回折格子が表示する個人情報、特には生体情報の改竄は極めて困難である。
【００８２】
そして、この方法では、画像表示体２２は、熱転写によって表紙本体２１に支持させる。そのような画像表示体２２は、表紙本体２１から剥離しようとすると、容易に破壊される。それ故、この個人認証媒体１００は、改竄が困難である。
【００８３】
次に、図１０乃至図１３を参照しながら、本発明の第２側面に係る画像表示体の態様について説明する。図１０、図１１は図２乃至図５に示す画像表示体が含んでいる回折構造を概略的に示す平面図である。図１２、図１３は図１の個人認証媒体に含まれる画像表示体の回折格子配列の一例を概略的に示す平面図である。なお、図１０乃至図１３においても、Ｘ方向は画像表示体の表示面に平行な方向であり、Ｙ方向は画像表示体の表示面に平行な方向であり且つＸ方向に対して垂直な方向であり、Ｚ方向はＸ及びＹ方向に対して垂直な方向である。
【００８４】
本発明の第２側面に係る画像表示体では、第１画像は、特定の照明条件のもとで第１方向から観察した場合に第１サブ画像を回折像として表示し、前記照明条件のもとで第１方向とは異なる第２方向から観察した場合に第１サブ画像を回折像として表示しないか又は第１サブ画像を第１方向から観察した場合と比較してより暗い回折像として表示するレリーフ型の第１サブ回折構造を含んでいる。ここで、第１サブ回折構造は図１０に示すような、回折構造３２０ａである。
【００８５】
この回折構造３２０ａは、複数の溝Ｇａからなる。溝Ｇａは、同一の形状を有しており、一定のピッチで互いに平行に配列している。溝Ｇａの長さ方向は、Ｘ方向に対して反時計回りに傾いている。なお、図１０に示す例では、溝Ｇａは円弧状に湾曲しているが、溝Ｇａは湾曲していなくてもよい。
【００８６】
回折構造３２０ａは、特定の照明条件のもとで第１方向から観察した場合に、第１サブ画像を回折像として表示する。そして、回折構造３２０ａは、先の照明条件のもとで第１方向とは異なる第２方向から観察した場合に、第１サブ画像を回折像として表示しないか、又は、第１サブ画像を第１方向から観察した場合と比較してより暗い回折像として表示する。ここでは、回折構造３２０ａが回折像として表示する第１サブ画像は、正面より右方向に回折光を射出する画像である。
【００８７】
次に、本発明の第２側面に係る画像表示体は、前記照明条件のもとで第２方向から観察した場合に第１サブ画像とは異なる第２サブ画像を回折像として表示し、前記照明条件のもとで第１方向から観察した場合に第２サブ画像を回折像として表示しないか又は第２サブ画像を第２方向から観察した場合と比較してより暗い回折像として表示するレリーフ型の第２サブ回折構造を含んでいる。ここで、第２サブ回折構造は図１１に示すような、回折構造３２０ｂである。
【００８８】
この回折構造３２０ｂは、複数の溝Ｇｂからなる。溝Ｇｂは、同一の形状を有しており、一定のピッチで互いに平行に配列している。溝Ｇｂの長さ方向は、Ｘ方向に対して時計回りに傾いている。なお、図１１に示す例では、溝Ｇｂは円弧状に湾曲しているが、溝Ｇａと同様に溝Ｇｂは湾曲していなくてもよい。
【００８９】
回折構造３２０ｂは、前記照明条件のもとで第２方向から観察した場合に第１サブ画像とは異なる第２サブ画像を回折像として表示し、前記照明条件のもとで第１方向から観察した場合に第２サブ画像を回折像として表示しないか又は第２サブ画像を第２方向から観察した場合と比較してより暗い回折像として表示する。ここでは、回折構造３２０ａが回折像として表示する第２サブ画像は、正面より左方向に回折光を射出する画像である。
【００９０】
このことにより、特定の照明条件のもとで第１サブ画像は第１方向から、つまり右方向から観察することができ、第２サブ画像は第２方向から、つまり左方向から観察することができる。
【００９１】
また、図１０や図１１のような曲線形状の回折構造を組み合わせると、直線形状の回折構造を組み合わせた場合と異なる視覚効果を得ることができる。曲線形状の回折構造を用いると回折光が射出する視域が広範囲となる。例えば、第１サブ画素と第２サブ画素が射出する回折光の視域が重なっている箇所がある場合、右目で第１サブ画素を視認し、左目で第２サブ画素を視認する範囲が発生し、両者の画像を同時に視認することが可能となる。
【００９２】
また、例えば以下のような配置にすると、各画像がムラ無く視認することができる。
図１２には、本発明の第２側面に係る画像表示体の回折格子配列の一例を示す。画像表示体３１０は第１サブ回折構造の回折構造３２０ａと第２サブ回折構造の回折構造３２０ｂにより構成され、ここでは、各サブ回折構造がＸ方向に直線的に配置してある。
【００９３】
図１３は、本発明の第２側面に係る画像表示体の回折格子配列の他の一例を示す。画像表示体３１１は第１サブ回折構造の回折構造３２０ａと第２サブ回折構造の回折構造３２０ｂにより構成され、ここでは、各サブ回折構造が市松状に配置してある。
【００９４】
次に、図１４乃至図１７を参照しながら、本発明の第２側面に係る画像表示体の態様について具体的な画像表示の例を説明する。図１４は図１３に示す画像表示体の回折格子配列を用いた画像表示の一例を概略的に示す平面図である。図１５、図１６は図１４に示す画像表示体の表示画像の一例を概略的に示す平面図である。図１７は図１０乃至図１３に示す画像表示体の表示画像の一例を概略的に示す平面図である。
【００９５】
図１４の画像表示体３３０は、図１３で示した画像表示体３１１の回折格子配列と同様な配列で、第１サブ回折構造の回折構造３４０ａと第２サブ回折構造の回折構造３４０ｂにより構成されている。
【００９６】
図１５は図１４で示した画像表示体３３０のうち、第１サブ回折構造の回折構造３４０ａに着目したもので、画像を構成する画素の数が少ないため、判別しにくいが画像のイメージとしては、「Ｏ」を示している。つまり、画像表示体３３０を右方向から観察するとこのような画像が観察することができる。
【００９７】
図１６は図１４で示した画像表示体３３０のうち、第２サブ回折構造の回折構造３４０ｂに着目したもので、画像のイメージとしては、Ｘを示している。このため、画像表示体３３０を左方向から観察するとこの画像が観察することができる。
【００９８】
例えば、上述の画像表示体の第１サブ画像に個人情報の顔画像を記録し、一方、第２サブ画像に微小画像を記録ししても良い。この微小画像の一辺の長さは、３００μm以上であり、文字又は記号又は数字又はそれらの組み合わせからなる肉眼で視認可能な微細文字としている。
【００９９】
図１７は、このようなサブ画像の組み合わせによる画像表示体の表示画像を観察した一例を示す図である。観察画像３５０ａは画像表示体を右方向から観察したもので、観察画像３５０ｂは画像表示体を中央から観察したもので、観察画像３５０ｃは画像表示画像を左方向から観察した様子を示す。
【０１００】
画像表示画像を左方向から観察した場合には、観察画像３５０ｃに示すように個人情報の顔画像３５１が観察でき、中央から観察した場合には、左目には顔画像３５１が入射し、右目には微細文字３５２が入射するため、観察画像３５０ｂに示すように顔画像３５１と微細文字３５２が重なって観察される。また、画像表示画像を右方向から観察した場合には、観察画像３５０ａに示すように微細文字３５２が観察できる。
【０１０１】
特に、中央から観察した場合には、顔画像３５１と微細文字３５２が重なったように見えるが、左右の目に異なる画像が入射していることから、通常観察するような画像とは異なった特異な感覚で認知される。これにより画像表示体は、複雑な視覚効果を示す画像を高い画質で表示するのに加え、改竄が困難である。
【０１０２】
一般的に３００μｍ以上の大きさの文字は、肉眼では認識が可能とされ、これらの文字により共通した情報、例えばパスポートの場合には、国名や発行地などの情報を記録し、また、ＩＤカードの場合には、会社名や所属などの情報を記録しておくことで、目視により真贋の判断を容易に行うことが可能となる。
【０１０３】
以上、パスポートとしての個人認証媒体１００を例示したが、個人認証媒体１００について上述した技術は、他の個人認証媒体に適用することも可能である。例えば、この技術は、査証やＩＤカードなどの各種カードに適用することも可能である。
【０１０４】
画像表示体２２を貼り付ける基材の材質は、紙以外であってもよい。例えば、画像表示体２２を貼り付ける基材は、プラスチック基板、金属基板、セラミックス基板、又はガラス基板であってもよい。
【０１０５】
画像表示層２２０ａに表示させる画像は、顔画像に加えて他の生体情報を含んでいてもよく、顔画像の代わりに他の生体情報を含んでいてもよい。また、画像表示層２２０ａに表示させる画像は、生体情報に加えて非生体個人情報及び非個人情報の少なくとも一方を含んでいてもよく、生体情報の代わりに非生体個人情報及び非個人情報の少なくとも一方を含んでいてもよい。
【符号の説明】
【０１０６】
１…折り丁、２…表紙、１１…紙片、２１…表紙本体、２２…画像表示体、２２’…転写材層、１００…個人認証媒体、２０１…転写箔、２０２…転写箔、２１０…画像表示層、２２０ａ…画像表示層、２２０ｂ…画像表示層、２２３…回折構造形成層、２２３ｂ…回折構造形成層、２２３ｃ…下地層、２２４…反射層、２２５…接着層、２２６…支持体、２２７…剥離保護層、２２８…樹脂層、３００…微小隠蔽画像、３０１…高さ、３０２…ピッチ、３１０…画像表示体、３１１…画像表示体、３２０ａ…回折構造、３２０ｂ…回折構造、３３０…画像表示体、３４０ａ…回折構造、３４０ｂ…回折構造、３５０ａ…観察画像、３５０ｂ…観察画像、３５０ｃ…観察画像、３５１…顔画像、３５２…微細文字、Ｇａ…溝、Ｇｂ…溝、Ｉ１ａ…画像、Ｉ１ｂ…画像、Ｉ２…画像、Ｉ３…画像
【図１】
0005413236.tif 000002
【図２】
0005413236.tif 000003
【図３】
0005413236.tif 000004
【図４】
0005413236.tif 000005
【図５】
0005413236.tif 000006
【図６】
0005413236.tif 000007
【図７】
0005413236.tif 000008
【図８】
0005413236.tif 000009
【図９】
0005413236.tif 000010
【図１０】
0005413236.tif 000011
【図１１】
0005413236.tif 000012
【図１２】
0005413236.tif 000013
【図１３】
0005413236.tif 000014
【図１４】
0005413236.tif 000015
【図１５】
0005413236.tif 000016
【図１６】
0005413236.tif 000017
【図１７】
0005413236.tif 000018